(57)【要約】  【課題】帽体側の取付鋲に対するハンモックの掛止離脱を阻止し、且つ、感電事故を回避して作業安全性を高める。  【解決手段】帽体２に金属製の取付鋲３に固着して成るヘルメット１において、ハンモック１４の掛止部１７に穿設したダルマ型の掛止用孔部２０の外側に、電気的絶縁性のハンモックカバー２５を着脱可能に取り付けて、取付鋲３の鋲頭部８の周囲を覆う。又、ハンモックカバー２５の抜け止め部２６は、ハンモックベース９側の溝部１０に差し込んで容易に抜けない構造とする。ハンモックカバー２５側の凸部（位置ずれ防止部）２８はハンモック１４側の凹部（被位置ずれ防止部）２４に係合止着させる。更に、ハンモックカバー２５は、湾曲自在なヒンジ部２９を介してハンモック１４の外周側部に一体に連結する。これにより、取付鋲３に対するハンモック１４側の掛止部１７の離脱を阻止し、感電事故を未然に回避する。【選択図】図２
2013091882.tif 000002
【特許請求の範囲】
【請求項１】
挿入孔と係合孔を有するダルマ型の掛止用孔部がハンモックに形成され、該掛止用孔部の係合孔に、ヘルメットの帽体を貫通して取り付けた金属製の取付鋲の鋲頭部が係合掛止されて成るヘルメット用ハンモックの固定装置において、
前記掛止用孔部の外側には、電気的絶縁材料から成るハンモックカバーが前記取付鋲の鋲頭部を覆うように着脱自在に被着され、
該ハンモックカバーには、前記鋲頭部と帽体内面の間の溝部に嵌合する抜け止め部と、前記ハンモック側に設けた凹部又は凸部に係脱自在に係合する位置ずれ防止部とが設けられていることを特徴とするヘルメット用ハンモックの固定装置。
【請求項２】
上記ハンモックカバーは、湾曲自在なヒンジ部を介して上記ハンモックに一体に連結されていることを特徴とする請求項１記載のヘルメット用ハンモックの固定装置。
【発明の詳細な説明】
【技術分野】
【０００１】
本発明はヘルメット用ハンモックの固定装置に関し、特に、ヘルメットの帽体（シェル）に金属製の取付鋲が取り付けられたヘルメット用ハンモックの固定装置に関するものである。
【背景技術】
【０００２】
従来、安全帽又は保安帽等のヘルメットは、着用者の頭部に冠着される帽体の内側に合成樹脂製のハンモックやヘッドバンドなどの内装品を装備して、着用者の頭部を衝撃から保護するように構成されている。
図４に例示するように、ヘルメット１の帽体２には内装品固定用の取付鋲３が設けられ、該取付鋲３の先端側の鋲頭部は帽体２の内面側に貫通し、該鋲頭部に前記ハンモック等の内装品を掛止固定するように構成されている。
【０００３】
前記合成樹脂製のハンモックとしては、ヘルメットの帽体の頂上部に位置する頭頂板と、該頭頂板から放射状に延出する複数の帯状脚部と、各帯状脚部の先端側に設けた掛止部とから一体に形成され、該掛止部にダルマ型（ひょうたん型を含む）の掛止用孔部を開穿したものが知られている。
【０００４】
図５は、この種ハンモックの固定装置の従来例を示す。同図に示すように、帽体２側の取付鋲３には、ハンモック４側の掛止部５が掛け止めされている。
具体的には、ハンモック４側の掛止部５には、ダルマ型の掛止用孔部６が開穿され、該掛止用孔部６は、互いに連通する挿入孔（図示せず）と係合孔７を有している。
【０００５】
一方、帽体２を貫通した取付鋲３の鋲頭部８外周には、合成樹脂製のハンモックベース９が固着されている。又、ハンモックベース９と帽体２内面との間には溝部１０が形成され、この溝部１０には掛止用孔部６の内周縁部がスライド自在に嵌合している。
【０００６】
これにより、掛止用孔部６の挿入孔に帽体２側の取付鋲３の鋲頭部８を挿入して、之を係合孔７側に相対的にスライドさせると、取付鋲３の鋲頭部８は、掛止用孔部６の係合孔７に係合固定して掛止される。
【先行技術文献】
【特許文献】
【０００７】
【特許文献１】特開２０００−３０３２４４号公報
【発明の概要】
【発明が解決しようとする課題】
【０００８】
しかしながら、このようなダルマ型の掛止用孔部を有するハンモックは、たとえば振動や衝撃による外力が, ハンモックの掛止部に作用することにより、掛止部（ダルマ型の掛止用孔部）と取付鋲（鋲頭部）との掛止結合力が低下する。そして、この掛止結合力の低下に起因して、ヘルメットの帽体からハンモックが不如意に外れることがあった。
【０００９】
又、ヘルメットは、作業安全を確保するための保護性能として、耐熱性、耐候性、耐薬品性及び耐衝撃性に加えて電気的絶縁性も要求されるが、これらの性能を確保するため、ＦＲＰ製のヘルメットが多く用いられている。
【００１０】
ところで、電気工事作業や消防作業等の安全作業用のヘルメットでは、感電防止の観点から、高い電気的絶縁性能が要求されている。例えば消防作業用のヘルメットでは、厳格な条件下に実施される耐電試験（電気的絶縁試験）を合格することが法令で義務付けられている。
【００１１】
しかし、ＦＲＰ製のヘルメットでは、帽体に内装組立用の孔を設ける必要があるため、取付鋲としては金属製のものを採択せざるをえない。
【００１２】
更に云えば、ハンモック等の内装品を帽体に固定するための取付鋲は、強度、コンパクト性、外観などの面から合成樹脂製のものに比べて、金属製のものの方が有利になることから、一般に金属製の取付鋲が多く採用されている。
【００１３】
しかし、ヘルメットの電気的絶縁性に関しては、電気的導電性を有する金属製の取付鋲の方が、電気的絶縁性を有する合成樹脂製の取付鋲に比べて著しく不利になる。
【００１４】
従って、金属製の取付鋲を取り付けたヘルメットは、上記耐電試験を合格することが難しく、電気絶縁タイプの安全作業帽として使用することができない。
【００１５】
即ち、金属製の取付鋲を取り付けたヘルメットでは、図５に示す取付鋲３に電気が流れた場合には、取付鋲３の鋲頭部８から着用者の人頭Ｈ側に電気が流れて、感電事故を起こす恐れがある。
【００１６】
特に、ヘッドバンド１１に通気孔１２を形成した構造では、前記取付鋲３と人頭Ｈとの間での通電現象に起因して、感電事故を起こす危険が一層高くなる。
【００１７】
そこで、帽体側の取付鋲に対するハンモックの離脱を阻止し、且つ、感電による危険を回避するために解決すべき技術的課題が生じてくるのであり、本発明はこの課題を解決することを目的とする。
【課題を解決するための手段】
【００１８】
本発明は上前記目的を達成するために提案されたものであり、請求項１記載の発明は、挿入孔と係合孔を有するダルマ型の掛止用孔部がハンモックに形成され、該掛止用孔部の係合孔に、ヘルメットの帽体を貫通して取り付けた金属製の取付鋲の鋲頭部が係合掛止されて成るヘルメット用ハンモックの固定装置において、前記掛止用孔部の外側には、電気的絶縁材料から成るハンモックカバーが前記取付鋲の鋲頭部を覆うように着脱自在に被着され、該ハンモックカバーには、前記鋲頭部と帽体内面の間の溝部に嵌合する抜け止め部と、前記ハンモック側に設けた凹部又は凸部に係脱自在に係合する位置ずれ防止部とが設けられていることを特徴とするヘルメット用ハンモックの固定装置を提供する。
【００１９】
この構成によれば、ハンモックカバー側の抜け止め部を、鋲頭部と帽体内面の間の溝部に嵌合固定し、かつ、ハンモックカバー側の位置ずれ防止部を、ハンモックの側に設けた被位置ずれ防止部に係脱自在に係合固定する。これにより、帽体側の取付鋲の鋲頭部が、ハンモック側のダルマ型掛止用孔部の係合孔から挿入孔側に相対的に移動することが阻止される。
【００２０】
そのため、ハンモック側のダルマ型掛止用孔部と帽体側の取付鋲との係合が意図せずに離脱することを防止できる。
【００２１】
又、電気的導電性を有する取付鋲の鋲頭部は、電気的絶縁性のハンモックカバーにより覆うように構成したので、取付鋲の鋲頭部からヘルメット着用者の人頭に向かう電気の流れは、ハンモックカバーによって確実に遮断される。
【００２２】
請求項２記載の発明は、上記ハンモックカバーは、湾曲自在なヒンジ部を介して上記ハンモックに一体に連結されていることを特徴とする請求項１記載のヘルメット用ハンモックの固定装置を提供する。
【００２３】
この構成によれば、ハンモックカバーは、ヒンジ部を介してハンモックに一体に連結されているので、ハンモックカバーがハンモックのダルマ型の掛止用孔部から外れても、ハンモックからハンモックカバーが離れて見失うことがない。
【発明の効果】
【００２４】
請求項１記載の発明は、帽体側の取付鋲の鋲頭部が、ハンモック側のダルマ型掛止用孔部の係合孔から挿入孔側に相対的に移動しないようにしたので、意図しない振動や衝撃などの外力により、ハンモックがヘルメットの帽体から外れることを無くすことができる。
【００２５】
又、着用者の人頭と取付鋲の鋲頭部の間での通電は、電気的絶縁性のハンモックカバーにより確実に遮断できるので、従来例の如き作業時における感電事故の危険性が無くなる。
【００２６】
特に、ヘッドバンドに通気孔が形成されていても、高い電気絶縁性を有するので、感電事故をより効果的に回避することができる。
【００２７】
請求項２記載の発明は、ハンモックカバーはハンモックのダルマ型の掛止用孔部から外れても、ハンモックからハンモックカバーが離れて見失うことがないはないので、請求項1記載の発明の効果に加えて、ハンモックカバーを紛失させることがない。
【図面の簡単な説明】
【００２８】
【図１】本発明の実施例に係るハンモックを示す展開図。
【図２】本発明の実施例に係るハンモックカバーの取付け状態を示す断面図。
【図３】図２のハンモックカバーの取外し状態を示す断面図。
【図４】取付鋲が取り付けられたヘルメットを示す側面図。
【図５】ハンモックの固定装置の従来例を示す断面図。
【発明を実施するための形態】
【００２９】
本発明は、帽体側の取付鋲に対するハンモック側の掛止部の離脱を阻止し、且つ、感電による危険を回避するという目的を達成するために、請求項１記載の発明は、挿入孔と係合孔を有するダルマ型の掛止用孔部がハンモックに形成され、該掛止用孔部の係合孔に、ヘルメットの帽体を貫通して取り付けた金属製の取付鋲の鋲頭部が係合掛止されて成るヘルメット用ハンモックの固定装置において、前記掛止用孔部の外側には、電気的絶縁材料から成るハンモックカバーが前記取付鋲の鋲頭部を覆うように着脱自在に被着され、該ハンモックカバーには、前記鋲頭部と帽体内面の間の溝部に嵌合する抜け止め部と、前記ハンモック側に設けた凹部又は凸部に係脱自在に係合する位置ずれ防止部とが設けられていることによって実現した。
【実施例】
【００３０】
以下、本発明の好適な実施例を図１乃至図３（前記図４も参照）に基づいて説明する。本実施例は、帽体に金属製の取付鋲を取り付けたＦＲＰ製のヘルメットに適用したものである。即ち、図４に示したように、ヘルメット１の帽体２側面には内装品固定用の取付鋲３が取り付けられている。
【００３１】
帽体２の内面側に貫通した取付鋲３の鋲頭部８には、円環形状を有する合成樹脂製のハンモックベース９が固着されている。又、ハンモックベース９と帽体２内面との間には溝部１０が形成されている。
【００３２】
帽体２側の取付鋲３には、ハンモック１４側の掛止部が掛け止めされている。このハンモック１４の内側面には、通気孔１２を有する帯状のヘッドバンド１１が設けられている。
【００３３】
図１は、合成樹脂製のハンモック１４を示す展開図である。ハンモック１４は、帽体２の頂上部に位置する頭頂板１５と、該頭頂板１５から放射状に延出する複数の帯状脚部１６と、該帯状脚部１６の先端側に設けた掛止部１７とを一体に射出成型して成る。
【００３４】
頭頂板１５は、着用者の頭頂面と適合するように、上方へ凸の湾曲面状に形成されている。
【００３５】
又、頭頂板１５の中央部には透孔１８が形成され、ヘルメット着用者の頭頂部形状に適合可能な柔軟性と所要の通気性が付与されている。又、各帯状脚部１６は所要の可撓性を有し、各帯状脚部１６の中間部には、必要に応じて長孔を設けることができる。
【００３６】
更に、掛止部１７には、ダルマ型（ひょうたん型を含む）の掛止用孔部２０が開穿されている。ダルマ型の掛止用孔部２０は、互いに連通する挿入孔２１と係合孔２２とから成り、挿入孔２１は、前記取付鋲３の鋲頭部８側のハンモックベース９よりも大径に形成されている。又、係合孔２２は、取付鋲３の軸部の外径と略同径に形成されている。
【００３７】
かかる構成により、挿入孔２１に取付鋲３の鋲頭部８を挿入した後に、取付鋲３を係合孔２２側（帯状脚部１６の先端方向Ａ側）に相対的にスライドさせることで、取付鋲３が係合孔２２に係合される。斯くして、掛止部１７の係合孔２２への取付鋲３の掛止固定により、ヘルメット１の帽体２にハンモック１４の掛止部１７が止着される。掛止部１７における掛止用孔部１８の外周縁部には、盛上り形状のガード部２３が突設されている。ガード部２３は、取付鋲３の鋲頭部８外周を保護するものであり、所要の高さ寸法を有している。
【００３８】
ガード部２３全体は、平面視でトラック形状又は長円形状に形成されている。又、掛止部１７における挿入孔２１の外側、より詳しくは、ガード部２３の外周の頭頂板１５側には円形の凹部２４が形成されている。この凹部２４は、後述するハンモックカバー２５側の凸部２８に係合する。
【００３９】
本実施例では、前記取付鋲３に対するハンモック１４側の掛止部１７の離脱を阻止し、且つ、感電事故の危険を回避する手段が講じられている。
【００４０】
即ち、掛止部１７のガード部２３にはキャップ状のハンモックカバー２５が着脱自在に被着されている。
【００４１】
なお、図１では、説明の都合上、複数の掛止部１７のうちの２つに互いに異なる形態のハンモックカバー２５を取り付けた態様例を示しているが、勿論、必要に応じて他の掛止部１７にもハンモックカバー２５を適宜取り付けることができる。
【００４２】
ハンモックカバー２５はガード部２３の外周形状に対応すべく、平面視でトラック形状又は長円形状に形成されている。又、ハンモックカバー２５の材料としては、電気的絶縁性を有する合成樹脂又はゴムが採択されている。
【００４３】
依って、取付鋲３の鋲頭部８に電気が流れても、この電気のヘッドバンド１１側へ流れは、電気的絶縁体であるハンモックカバー２５によって遮断される。なお、本実施例では、ハンモックカバー２５はハンモック１４と一体に成形することができる。
【００４４】
更に、ハンモックカバー２５の裏面側の外周側面部２５ａは、その一部が切り欠けられていることにより、ハンモックカバー２５の径方向内外に適度に拡縮変形可能に形成されている。ハンモックカバー２５は前記拡縮変形力により、掛止部１７のガード部２３への着脱を簡便に行える。
【００４５】
又、ハンモックカバー２５裏面の略中央部、より詳しくは、係合孔２２の一側劣弧部に対応する略中央部には抜け止め部２６が一体に設けられている。
【００４６】
この抜け止め部２６は、係合孔２２の一側劣弧部と対応する平面視形状を有し、その縦断面形状はＬ字型に形成されている。
【００４７】
抜け止め部２６の縦断面Ｌ字型の先端側は、ハンモックカバー２５の取付け時に、ハンモックベース９側の鋲頭部３と帽体２間の溝部１０に差し込んで嵌合するように形成されている。依って、溝部１０への抜け止め部２６の嵌合固定により、ガード部２３に対するハンモックカバー２５の抜け防止が講じられている。
【００４８】
このように、ハンモックカバー２５の抜け止め部２６は、ハンモックベース９側の溝部１０に差し込んで容易に抜けない構造とする。そのためには、ハンモックカバー２５は、溝部１０に抜け止め部２６を円滑に挿着できるようにゴム質若しくは之と同等の柔軟性を有することが好ましい。
【００４９】
しかし、ハンモックカバー２５の柔軟性が過大になると、ハンモックベース９側の溝部１０から抜け止め部２６が容易に外れる恐れがあるので、ハンモックカバー２５は適度な硬さを有することも必要となる。
【００５０】
更に、ハンモックカバー２５外側面における前記凹部２４に臨む側には止着片２７が一体に突設されている。この止着片２７の裏面には凸部（位置ずれ防止部）２９が形成され、凸部（位置ずれ防止部）２９は、前記掛止部１７側の凹部２４に係脱自在に係合している。
【００５１】
依って、凹部２４への凸部２８の係合止着により、ガード部２３に対するハンモックカバー２５の相対的な移動が阻止されている。
【００５２】
更に又、ハンモックカバー２５の外側面と掛止部１７の外側面とは、図２に示すように、ヒンジ部２９により一体に連結され、ヒンジ部２９は湾曲変形可能な可撓性を有している。図１において、ヒンジ部２９は、ハンモックカバー２５の幅方向外側面、或いは、ハンモックカバー２５外側面におけるＡ方向側に形成することができる。これにより、ハンモックカバー２５がガード部２３から外れた場合でも、図３に示すように、ハンモックカバー２５がハンモック１４の掛止部１７から離れることがない。
【００５３】
上記ハンモックカバー２５をガード部２３に取り付けるときは、抜け止め部２６を溝部１０に挿入して嵌合固定させると共に、ハンモックカバー２５の外周側面部をハンモック１４の掛止部１７側のガード部２３に嵌合被着させる。更に、ハンモックカバー２５側の凸部（位置ずれ防止部）２８を、ハンモック１４の掛止部１７側の凹部（被位置ずれ防止部）２４に係合止着させる。
【００５４】
これにより、ハンモックカバー２５がガード部２３に取り付けられ、取付け後、ハンモックカバー２５を移動させる外力がハンモックカバー２５に作用しても、ガード部２３からハンモックカバー２５が外れる虞はない。
【００５５】
即ち、ハンモックカバー２５のスライド方向（帯状脚部１６の先端方向Ａ又は基端方向Ｂ）又はこれと直角な幅方向の外力が作用した場合でも、ハンモックカバー２５側の抜け止め部２６がハンモックベース９側の溝部１０に嵌合固定し、かつ、ハンモックカバー２５側の凸部２８がハンモック１４側の凹部２４に係合止着されているので、ガード部２３に対するハンモックカバー２５の位置ずれや移動が阻止される。
【００５６】
叙上の如く本発明によると、ダルマ型の掛止用孔部６に、電気的絶縁性のハンモックカバーを被着すると共に、該ハンモックカバーの抜け止め部を帽体内面と鋲頭部間の溝部に嵌合固定させ、且つ、ハンモックカバーの止着片側に設けた凸部を、ハンモックの掛止部側に設けた凹部に係合固定させる構成としたことにより、帽体側の取付鋲の鋲頭部が、ハンモックの掛止部のダルマ型の掛止用孔部の係合孔から挿入孔側に移動することが阻止される。
【００５７】
その結果、ハンモックの掛止部のダルマ型の掛止用孔部６が帽体側の取付鋲から離脱することが防止される。
【００５８】
即ち、振動や衝撃による外力の作用により、ハンモックの掛止部が帽体側の取付鋲に対して、ダルマ型掛止用孔部の係合孔から挿入孔に相対的に移動しようとしても、この移動は、抜け止め部及び凸部（位置ずれ防止部）を有するハンモックカバーにより阻止される。斯くして、ハンモックの掛止部がヘルメットの帽体から外れることを確実に防止することができる。
【００５９】
更に、ハンモックカバーは、ヒンジ部を介してハンモックの掛止部に連結されているので、ハンモックの掛止部からハンモックカバーが外れても、ハンモックの掛止部からハンモックカバーが離れることはない。そのため、ハンモックカバーを紛失させることもない。この場合、ヒンジ部は湾曲自在であるので、ハンモックカバーの着脱容易性は良好に維持される。
【００６０】
又、金属製の取付鋲の鋲頭部は、電気的絶縁性のハンモックカバーにより覆われるので、取付鋲に電気が流れても、鋲頭部から着用者の人頭Ｈ側への通電が遮断される。
【００６１】
特に、ヘッドバンドに通気孔が形成されていても、取付鋲の通電に起因する感電事故を未然に回避できる。したがって、ヘルメットの作業安全性が向上し、以って、簡単な構成でありながら、品質性能の高いヘルメットを容易に量産することができる。
【００６２】
以上、本発明の具体的な実施例について説明したが、本発明は上記の実施例に限定されるものではなく、本発明の精神を逸脱しない限り種々の改変をなすことができ、そして、本発明が該改変されたものにも及ぶことは当然である。
【００６３】
上記実施例では、ハンモックカバーは、トラック形状又は長円形状に形成したが、ハンモックカバーの形状は、掛止部（ガード部）に着脱自在に外嵌できる形状であれば、任意の形状に形成できる。
【００６４】
又、ハンモックカバー側の位置ずれ防止部を凹部に形成すると共に、ハンモック側の被位置ずれ防止部を凸部に形成することもできる。
【００６５】
更に、ハンモックとハンモックカバーは一体に連結せずに、両者は互いに別体として分離して形成しても良い。
【産業上の利用可能性】
【００６６】
本発明に係るヘルメットは、金属製の取付鋲を有するものであれば、ハンモックやヘッドバンドの型式、或いは、ヘルメットの使用目的を問わず、全て適用可能である。
【符号の説明】
【００６７】
１    ヘルメット
２    帽体
３    取付鋲
４，１４  ハンモック
５，１７  掛止部
６，２０  ダルマ型の掛止用孔部
７，２２  係合孔
８    鋲頭部
９    ハンモックベース
１０  溝部
１１  ヘッドバンド
１２  通気孔
１５  頭頂板
１６  帯状脚部
２１  挿入孔
２３  ガード部
２４  凹部（被位置ずれ防止部）
２５  ハンモックカバー
２５ａ  外周側面部
２６  抜け止め部
２７  止着片（突起片）
２８  凸部（位置ずれ防止部）
２９  ヒンジ部
【図１】
2013091882.tif 000003
【図２】
2013091882.tif 000004
【図３】
2013091882.tif 000005
【図５】
2013091882.tif 000006
【図４】
2013091882.tif 000007